(57)【特許請求の範囲】
【請求項１】
貫通した穴または通路がある磁石、変形可能な材料からなる物品、及び、カン（鐶）からなり、前記変形可能な材料からなる物品を前記磁石に設けられた貫通した穴または通路に通し、前記変形可能な材料からなる物品の両端に前記カン（鐶）を取り付ける構成とすることにより、メガネのテンプルへの着脱を容易にすることができるメガネホルダー（眼鏡落下防止留具）。
【発明の詳細な説明】
【技術分野】
【０００１】  本発明は、メガネを胸ポケット、前立てのボタンとボタンの間や胸元に入れ、前屈みした時、メガネの落下を防止するためのメガネホルダー（眼鏡落下防止留具）に関する。
【背景技術】
【０００２】  従来のメガネホルダー（眼鏡落下防止留具）に関するものは、次に列挙するような特徴を有した形状や構造で構成されている。
（１）眼鏡用の取り外し可能な磁性クラスプは、変形可能な材料から形成されているコネクタと、コネクタの一部分を通って延びたチャネルを有し、コネクタ上に位置決めされた磁石を備えている。そして、テンプルバーがこのチャネルを通ってスライドすることができるように構成されている。（例えば、特許文献１参照）【０００３】（２）眼鏡の対向する左右のつるの片方に磁石を設け、他のつるは片側のつるに設けられた磁石と対向する位置に金属部を設け、磁石の磁力により互いのつるが吸着することを特徴とする落下防止眼鏡。（例えば、特許文献２参照）【０００４】（３）鉄板を埋め込んだメガネ本体のテンプルにマグネットを埋め込んだクリップを固定し、テンプルとクリップで、テンプルに埋め込んだ鉄板とクリップのマグネットの磁気吸引により、上着のポケット等の収納部を挟むことによりメガネ本体の落下を防止する。（例えば、特許文献３参照）【０００５】（４）眼鏡が落下するのを防止する眼鏡用クリップであって、テンプルの中央部に磁石体あるいは吸着体の一方を配設するとともに、いずれか他方をチェーン等の条体の一端に連結し、条体の他端をテンプルの端部の取付け部に取り付け、胸ポケットに収納したときに磁石体と吸着体との間で布を挟持するようにした。（例えば、特許文献４参照）【０００６】（５）一端に磁石止め金具を備え、もう一端にメガネ留めを接続したゴム等の伸縮性のある材質のチェーンで、そのメガネ留め本体は摩擦力が大きな合皮を輪にしたものを直線部及び曲線部からなる筒状の金具によって、前記輪を絞ることでメガネのつるを固定することを特徴とするメガネチェーンに関するものである。（例えば、特許文献５参照）【０００７】  しかしながら、上記のように構成された従来のメガネホルダー（眼鏡落下防止留具）に関するものは、メガネホルダー（眼鏡落下防止留具）がメガネに固定されているため、メガネのテンプルに着脱ができないか、あるいはメガネのテンプルに着脱ができるとしても、メガネのテンプルをメガネホルダー（眼鏡落下防止留具）に通すため、着脱が簡単にできないという欠点があった。
【先行技術文献】
【特許文献】
【０００８】
【特許文献１】  特開２０１０−１１７７３８号公報
【０００９】
【特許文献２】  特開２００９−２９４６２７号公報
【００１０】
【特許文献３】  特開２０１０−７８７４２号公報
【００１１】
【特許文献４】  特開２００５−０２４６９６号公報
【００１２】
【特許文献５】  登録実用新案第３１７１２９６号
【発明の概要】
【発明が解決しようとしている課題】
【００１３】  本発明は、以上のような従来の欠点に鑑み、従来のメガネホルダー（眼鏡落下防止留具）とは違った形状や構造でメガネホルダー（眼鏡落下防止留具）を作製して、メガネのテンプルに着脱が簡単にできるメガネホルダー（眼鏡落下防止留具）を提供することを目的としている。
【課題を解決するための手段】
【００１４】            上記目的を達成するために、本発明は、貫通した穴または通路がある磁石、変形可能な材料からなる物品、及び、カン（鐶）からなり、前記変形可能な材料からなる物品を前記磁石に設けられた貫通した穴または通路に通し、前記変形可能な材料からなる物品の両端に前記カン（鐶）を取り付ける構成とすることにより、メガネのテンプルへの着脱を容易にすることができるメガネホルダー（眼鏡落下防止留具）。メガネのテンプルに装着する際、メガネのテンプルを跨ぐ方法なので着脱が簡単にできるメガネホルダー（眼鏡落下防止留具）。
【発明の効果】
【００１５】  以上の説明から明らかなように、本発明にあっては、次の効果が得られる。
（１）メガネのテンプルを跨いで装着する方法なので着脱が簡単にできて便利である。
【００１６】（２）材料が一般的であるとともに構造が単純なので大量生産することができる。
【図面の簡単な説明】
【００１７】
【図１】  本発明の斜視図である。
【図２】  本発明の正面図であり、正面図と同一にあらわれる背面図でもある。
【図３】  本発明の平面図であり、平面図と同一にあらわれる底面図でもある。
【図４】  本発明の右側面図であり、右側面図と同一にあらわれる左側面図でもある。
【図５】  本発明を装着したメガネの両方のテンプルを開いた斜視図である。
【図６】  本発明の図５のメガネの片方のテンプルを閉じた斜視図である。
【図７】  本発明の図５のメガネの両方のテンプルを閉じた斜視図である。
【図８】  本発明を装着したメガネを胸ポケットに留めた斜視図である。
【図９】  本発明を装着したメガネを前立てのボタンとボタンとの間に留めた斜視図である。
【図１０】  本発明を装着したメガネを胸元に留めた斜視図である。
【発明を実施するための形態】
【００１８】以下、本発明の実施の形態を図に基づいて説明する。
【実施例】
【００１９】  図１は、本発明の斜視図である。
図１の本発明の実施の形態にする方法は、次の通りである。
まずは、貫通した穴または通路がある磁石を２個＝１と２、ゴム輪を１個＝３とカン（鐶）を２個＝４と５で構成する。
第２は、１と２を吸着させる。
第３は、３を１と２の貫通した穴または通路に通す。
第４は、４を３の左側輪状の所に、５を３の右側輪状の所に取り付ける。
最後は、吸着している１と２を離して図１の本発明にする。【００２０】  図２は、本発明の正面図であり、正面図と同一にあらわれる背面図でもある。【００２１】  図３は、本発明の平面図であり、平面図と同一にあらわれる底面図でもある。【００２２】  図４は、本発明の右側面図であり、右側面図と同一にあらわれる左側面図でもある。【００２３】  図５は、本発明を装着したメガネの両方のテンプルを開いた斜視図である。
図５の本発明の実施の形態にする方法は、次の通りである。
まずは、メガネ１個と図１の本発明２個で構成する。
第２は、メガネの両方のテンプルを閉じて、両方のテンプルが交差する位置を確認する。
第３は、両方のテンプルが交差する位置で本発明同士が吸着するように装着する。
第４は、吸着し合っている各テンプルの本発明を離し、両方のテンプルを開く。
最後は、開いている両方のテンプルに本発明を固定的に装着するため、本発明のゴム輪を絞り、磁石と磁石の間のゴム輪の長さを調節して、本発明をテンプルの太さに適合させて図５にする。【００２４】  図６は、本発明の図５のメガネの片方のテンプルを閉じた斜視図である。【００２５】  図７は、本発明の図５のメガネの両方のテンプルを閉じた斜視図である。【００２６】  図８は、本発明を装着したメガネを胸ポケットに留めた斜視図である。
図８の本発明の実施の形態にする方法は、次の通りである。
まずは、本発明の図５にする。
第２は、メガネの片方のテンプルを閉じる。
第３は、閉じているテンプルとメガネのフロントを胸ポケットの中に入れる。
最後は、胸のポケットの中に入れたテンプルの本発明に、布を介して、開いているテンプルの本発明を吸着させて図８にする。【００２７】  図９は、本発明を装着したメガネを前立てのボタンとボタンとの間に留めた斜視図である。
図９の本発明の実施の形態にする方法は、次の通りである。
まずは、本発明の図５にする。
第２は、メガネの片方のテンプルを閉じる。
第３は、開いているテンプルを前立てのボタンとボタンの間から内側に入れる。
最後は、前立ての内側に入れたテンプルの本発明に、布を介して、閉じているテンプルの本発明を吸着させて図９にする。【００２８】  図１０は、本発明を装着したメガネを胸元に留めた斜視図である。
図１０の本発明の実施の形態にする方法は、次の通りである。
まずは、本発明の図５にする。
第２は、メガネの片方のテンプルを閉じる。
第３は、開いているテンプルを衣装の胸元から内側に入れる。
最後は、衣装の内側に入れたテンプルの本発明に、布を介して、閉じているテンプルの本発明を吸着させて図１０にする。
【産業上の利用可能性】
【００２９】  本発明は、メガネホルダー（眼鏡落下防止留具）、ゴム、磁石、金属関係の製造、加工販売をする産業で利用される。
【符号の説明】
【００３０】１、２      貫通した穴または通路がある磁石
３          ゴム輪
４、５      カン（鐶）
【要約】
【課題】          メガネのテンプルに着脱が簡単にできるメガネホルダー（眼鏡落下防止留具）を得ることにある。
【解決手段】          貫通した穴または通路がある磁石、変形可能な材料からなる物品、及び、カン（鐶）からなり、前記変形可能な材料からなる物品を前記磁石に設けられた貫通した穴または通路に通し、前記変形可能な材料からなる物品の両端に前記カン（鐶）を取り付ける構成とすることにより、メガネのテンプルへの着脱を容易にすることができるメガネホルダー（眼鏡落下防止留具）。
【選択図】図１【図１】
0005682003.tif 000002
【図２】
0005682003.tif 000003
【図３】
0005682003.tif 000004
【図４】
0005682003.tif 000005
【図５】
0005682003.tif 000006
【図６】
0005682003.tif 000007
【図７】
0005682003.tif 000008
【図８】
0005682003.tif 000009
【図９】
0005682003.tif 000010
【図１０】
0005682003.tif 000011